(57)【要約】【課題】ユーザがニュース記事、ポスト、コメントなどの掲示物を作成するとき、自身が作成した掲示物と関連したオンライン上のイシューとして選択されたイシューに対する賛否意見を入力できる賛否意見掲示システム及びその方法を提供する。【解決手段】本発明のオンライン上のイシューに対する賛否意見掲示方法は、第１のユーザによって作成された上位掲示物と関連した１つ以上のイシューに対するイシュー入力ツールを提供し、１つ以上のイシューに対する第１のユーザの賛成又は反対の意見を入力するための意見入力ツールを提供し、第１のユーザによって作成された上位掲示物に対して賛成又は反対する下位掲示物の入力ツールを第２のユーザに提供し、上位掲示物に対する下位掲示物の賛成又は反対に基づいて、下位掲示物の１つ以上のイシューに対する賛成又は反対の意見は、上位掲示物の前記１つ以上のイシューに対する賛成又は反対の意見を引き継ぐ。【選択図】図３
2010157243.tif 000002
【特許請求の範囲】
【請求項１】
オンライン上のイシューに対する賛否意見掲示方法において、
第１のユーザによって作成された上位掲示物と関連した１つ以上のイシューに対するイシュー入力ツールを提供し、
前記１つ以上のイシューに対する前記第１のユーザの賛成又は反対の意見を入力するための意見入力ツールを提供し、
前記第１のユーザによって作成された上位掲示物に対して賛成又は反対する下位掲示物の入力ツールを第２のユーザに提供し、
前記上位掲示物に対する前記下位掲示物の賛成又は反対に基づいて、前記下位掲示物の前記１つ以上のイシューに対する賛成又は反対の意見は、前記上位掲示物の前記１つ以上のイシューに対する賛成又は反対の意見を引き継ぐことを特徴とするオンライン上のイシューに対する賛否意見掲示方法。
【請求項２】
前記下位掲示物の前記１つ以上のイシューに対する賛成又は反対の意見は、前記上位掲示物から引き継いだ意見と異なる意見に編集可能であることを特徴とする請求項１に記載のオンライン上のイシューに対する賛否意見掲示方法。
【請求項３】
前記１つ以上のイシューに対する賛成又は反対の意見が入力された掲示物の現在の状況を総合して表示することをさらに含むことを特徴とする請求項１に記載のオンライン上のイシューに対する賛否意見掲示方法。
【請求項４】
前記１つ以上のイシューに対する掲示物の現在の状況を総合して表示する際に、前記掲示物をカテゴリ別に分類し、前記掲示物のカテゴリ別賛否意見の比率を共に表示することを特徴とする請求項３に記載のオンライン上のイシューに対する賛否意見掲示方法。
【請求項５】
前記１つ以上のイシューに対する掲示物の現在の状況を総合して表示する際に、時間の流れに伴う前記掲示物の賛否意見の比率及び変化を表示することを特徴とする請求項３に記載のオンライン上のイシューに対する賛否意見掲示方法。
【請求項６】
前記１つ以上のイシューに対する掲示物の現在の状況を総合して表示する際に、前記１つ以上のイシューに対するトラックバックアドレス、参加ブロガー名簿、関連イシューリスト及び関連カフェリストのうち１つ以上を共に表示することを特徴とする請求項３に記載のオンライン上のイシューに対する賛否意見掲示方法。
【請求項７】
前記１つ以上のイシューに対する掲示物の現在の状況を総合して表示するのは、前記１つ以上のイシューに関して討論するために開設された討論ルームのリストを共に表示することを特徴とする請求項３に記載のオンライン上のイシューに対する賛否意見掲示方法。
【請求項８】
請求項１から請求項７のうちいずれか一つの項に記載されたオンライン上のイシューに対する賛否意見掲示方法の各動作をコンピュータ上で行うためのプログラムを記録したコンピュータ読取可能な記録媒体。
【請求項９】
オンライン上のイシューに対する賛否意見掲示システムにおいて、
第１のユーザによって作成された上位掲示物と関連した１つ以上のイシューを選択するためのイシュー入力ツールを提供するイシュー選択部と、
前記第１のユーザによって１つ以上のイシューが入力された場合、前記１つ以上のイシューに対する賛成又は反対の意見を入力するための意見入力ツールを提供する意見入力部と、
前記第１のユーザによって作成された上位掲示物に対して賛成又は反対する下位掲示物を入力するための下位掲示物入力ツールを提供する下位掲示物入力部と、を含み、
前記上位掲示物に対する前記下位掲示物の賛成又は反対に基づいて、前記下位掲示物の前記１つ以上のイシューに対する賛成又は反対の意見は、前記上位掲示物の前記１つ以上のイシューに対する賛成又は反対の意見を引き継ぐことを特徴とするオンライン上のイシューに対する賛否意見掲示システム。
【請求項１０】
前記第１のユーザの要請に応答して、前記第１のユーザが作成した上位掲示物と関連した新しいイシューの生成ツールを提供するイシュー生成部をさらに含むことを特徴とする請求項９に記載のオンライン上のイシューに対する賛否意見掲示システム。
【請求項１１】
前記１つ以上のイシューに対する賛成又は反対の意見が入力された掲示物の現在の状況を管理するイシュー管理部をさらに含むことを特徴とする請求項９に記載のオンライン上のイシューに対する賛否意見掲示システム。
【請求項１２】
前記１つ以上のイシュー及び前記１つ以上のイシューに対する賛否意見が入力された掲示物の情報を格納するイシュー格納部をさらに含むことを特徴とする請求項９に記載のオンライン上のイシューに対する賛否意見掲示システム。
【請求項１３】
前記イシュー格納部に格納されたデータは、関連検索語の提供のためのメタデータとして又は前記掲示物に対するユーザの肯定、中立又は否定の評価情報の提供のためのメタデータとして使用されることを特徴とする請求項１２に記載のオンライン上のイシューに対する賛否意見掲示システム。
【発明の詳細な説明】
【技術分野】
【０００１】
本発明は、多様なイシューに対する賛否意見をオンライン上に掲示できるシステム及びその方法に関するものである。
【背景技術】
【０００２】
インターネット技術の発展に伴い、インターネットを介したニュースサービス及びブログサービスが活発に用いられている。
【０００３】
従来のインターネットを介したニュースサービスでは、単純に新聞記事などをインターネットを介してユーザに提供する程度に過ぎなかったが、最近は、特定記事ごとに、ユーザがその記事に対するフィードバックをコメントなどで登録し、ニュースサービスは、これを掲示板又はリストの形態でニュースサービス利用者に提供することによって、単純なニュースの伝達だけでなく、ニュースに対する読者の評価、意見などをユーザ間で容易に共有できるようにしている。これによって、ユーザは、世論の行方を把握することができ、他のユーザとニュースに関する討論を進行することができる。
【０００４】
一方、ブログサービスは、ウェブ（ｗｅｂ）とログ（ｌｏｇ）の合成語であるウェブログ（ｗｅｂｌｏｇ）の縮約語であって、個人が運営するウェブページを提供するサービスを意味する。特に、ブログは、ユーザが自ら運営する１人メディアとして機能し、ユーザが単純な情報の需要者でなく情報の提供者としてパーソナライズされたメディアを構築できるので、ブログユーザは漸次増加しつつある。通常のブログサービスでは、ブログ運営者がブログ掲示物を登録し、他のユーザがブログ掲示物を読み、これに対するコメントを残す方式が一般的である。
【０００５】
しかしながら、従来のニュースサービス及びブログサービスにおいては、多数のユーザによってコメントが作成されるので、一人による過度な意見の投稿を防止するために、コメント作成時に一定の文字数制限が加えられ、その結果、ユーザは、コメントを通してより深い意見を表現することが難しくなっている。また、多数のユーザが多くのコメントを登録する場合、自身が作成したコメントが下位に押しやられ、同一のテーマに関する他のユーザとの連続的な討論が難しく、自身が作成したコメントに対する管理及び統計が不可能であるという問題があった。
【０００６】
また、従来のニュースサービスでは、単純にニュースをカテゴリ別に分類しているだけで、各ニュース記事の性格を知ることが難しく、各ニュース記事に対してユーザの意見を反映させることが非常に制限的であるという問題があった。
【発明の概要】
【発明が解決しようとする課題】
【０００７】
本発明が解決しようとする課題は、ユーザがニュース記事、ポスト、コメントなどの掲示物を作成するとき、自身が作成した掲示物と関連したイシューを選択し、選択されたイシューに対する賛否意見を入力できるオンライン上のイシューに対する賛否意見掲示システム及びその方法を提供する。
【０００８】
また、本発明が解決しようとする他の課題は、各イシューに対する賛成又は反対の掲示物の現在の状況を管理し、各種オンライン上のイシューを一目で見られるようにするオンライン上のイシューに対する賛否意見を掲示するシステム及びその方法を提供する。
【０００９】
また、本発明が解決しようとする更に他の課題は、カテゴリ別に分類されたイシューリストを討論サーバに提供し、ユーザ間で多様なイシューに関する討論が行われるようにするオンライン上のイシューに対する賛否意見を掲示するシステム及びその方法を提供する。
【課題を解決するための手段】
【００１０】
上述した技術的課題を達成するための技術的手段として、本発明の第１の実施形態は、オンライン上のイシューに対する賛否意見掲示方法において、第１のユーザによって作成された上位掲示物と関連した１つ以上のイシューに対するイシュー入力ツールを提供し、前記１つ以上のイシューに対する前記第１のユーザの賛成又は反対の意見を入力するための意見入力ツールを提供し、前記第１のユーザによって作成された上位掲示物に対して賛成又は反対する下位掲示物の入力ツールを第２のユーザに提供することを含み、前記上位掲示物に対する前記下位掲示物の賛成又は反対に基づいて、前記下位掲示物の前記１つ以上のイシューに対する賛成又は反対の意見は、前記上位掲示物の前記１つ以上のイシューに対する賛成又は反対の意見を引き継ぐことを特徴とするオンライン上のイシューの賛否意見掲示方法を提供する。
【００１１】
前記下位掲示物の前記１つ以上のイシューに対する賛成又は反対の意見は、前記上位掲示物から引き継いだ意見と異なる内容に編集可能であることが望ましい。
【００１２】
本発明の第１の実施形態に係るオンライン上のイシューに対する賛否意見掲示方法は、前記１つ以上のイシューに対する賛成又は反対の意見が入力された掲示物の現在の状況を総合して表示することをさらに含むことが望ましい。
【００１３】
前記１つ以上のイシューに対する掲示物の現在の状況を総合して表示する際に、前記掲示物をカテゴリ別に分類し、前記掲示物のカテゴリ別賛否意見の比率を共に表示することが望ましい。
【００１４】
また、前記１つ以上のイシューに対する掲示物の現在の状況を総合して表示する際に、時間の流れに伴う前記掲示物の賛否意見の比率及び変化を表示することが望ましい。
【００１５】
前記１つ以上のイシューに対する掲示物の現在の状況を総合して表示する際に、前記１つ以上のイシューに対するトラックバックアドレス、参加ブロガー名簿、関連イシューリスト及び関連カフェリストのうち１つ以上を共に表示することが望ましい。
【００１６】
前記１つ以上のイシューに対する掲示物の現在の状況を総合して表示する際に、前記１つ以上のイシューに関して討論するために開設された討論ルームのリストを共に表示することが望ましい。
【００１７】
上述した技術的課題を達成するための技術的手段として、本発明の第２の実施形態は、オンライン上のイシューに対する賛否意見掲示システムにおいて、第１のユーザによって作成された上位掲示物と関連した１つ以上のイシューを選択するためのイシュー入力ツールを提供するイシュー選択部と、前記第１のユーザによって１つ以上のイシューが入力された場合、前記１つ以上のイシューに対する賛成又は反対の意見を入力するための意見入力ツールを提供する意見入力部と、前記第１のユーザによって作成された上位掲示物に対して賛成又は反対する下位掲示物を入力するための下位掲示物入力ツールを提供する下位掲示物入力部とを含み、前記上位掲示物に対する前記下位掲示物の賛成又は反対に基づいて、前記下位掲示物の前記１つ以上のイシューに対する賛成又は反対の意見は、前記上位掲示物の前記１つ以上のイシューに対する賛成又は反対の意見を引き継ぐことを特徴とするオンライン上のイシューに対する賛否意見掲示システムを提供する。
【００１８】
本発明の第２の実施形態に係るオンライン上のイシューに対する賛否意見掲示システムは、前記第１のユーザの要請に応答して、前記第１のユーザが作成した上位掲示物と関連した新しいイシューの生成ツールを提供するイシュー生成部をさらに含むことが望ましい。
【００１９】
本発明の第２の実施形態に係るオンライン上のイシューに対する賛否意見掲示システムは、前記１つ以上のイシューに対する賛成又は反対の意見が入力された掲示物の現在の状況を管理するイシュー管理部をさらに含むことが望ましい。
【００２０】
本発明の第２の実施形態に係るオンライン上のイシューに対する賛否意見掲示システムは、前記１つ以上のイシュー及び前記１つ以上のイシューに対する賛否意見が入力された掲示物の情報を格納するイシュー格納部をさらに含むことが望ましい。
【００２１】
前記イシュー格納部に格納されたデータは、関連検索語の提供のためのメタデータとして又は前記掲示物に対するユーザの肯定、中立又は否定の評価情報提供のためのメタデータとして使用されることが望ましい。
【発明の効果】
【００２２】
上述した本発明の課題解決手段の一つによれば、ユーザがニュース記事、ポスト、コメントなどの掲示物を作成するとき、自身が作成した掲示物と関連したイシューを選択し、選択されたイシューに対する自身の賛否意見を入力することができる。
【００２３】
上述した本発明の課題解決手段の他の一つによれば、各イシューに対する賛成又は反対の掲示物の現在の状況をユーザが一目で確認することができる。
【００２４】
上述した本発明の課題解決手段の更に他の一つによれば、カテゴリ別に分類されたイシューリストを討論の主題として討論サーバに提供し、ユーザ間で多様なイシューに関する討論を行うことができる。
【図面の簡単な説明】
【００２５】
【図１】本発明の一実施形態に係るオンライン上のイシュー及びオンライン上のイシューに対する賛否意見が表示された上位掲示物の一例である。
【図２】本発明の一実施形態に係るオンライン上のイシューを入力するためのイシュー入力画面の一例である。
【図３】本発明の一実施形態に係る新しいイシューを生成するためのイシュー生成画面の一例である。
【図４】本発明の一実施形態に係る下位掲示物の入力方法を説明するための図である。
【図５】本発明の一実施形態に係る上位掲示物及び下位掲示物による各イシューの賛否現在の状況を示した図である。
【図６】本発明の一実施形態に係る特定イシューに対する賛成又は反対の意見が入力された上位掲示物及び下位掲示物の現在の状況を表すイシューページの一例である。
【図７】本発明の一実施形態に係るオンライン上のイシューに対する賛否意見を作成するシステムの接続関係を示した図である。
【図８】本発明の一実施形態に係るイシュー賛否システムの細部の構成を示した図である。
【図９】本発明の一実施形態に係るオンライン上のイシューに対する賛否意見を作成する方法を説明するためのフローチャートである。
【発明を実施するための形態】
【００２６】
以下、本発明の属する技術分野において通常の知識を有する者が容易に実施できるように、添付の図面を参照して本発明の実施形態を詳細に説明する。本発明は、多様な形態で具現可能であり、ここで説明する実施形態によって限定されるものでない。そして、図面では、本発明を明確に説明するために、説明と関係のない部分は省略し、明細書全体にわたって類似した部分には類似した図面符号を付した。
【００２７】
明細書全体で、一つの部分が他の部分と「接続」されているというとき、これは、「直接的に接続」されている場合だけでなく、その中間に他の素子を挟んで「電気的に接続」されている場合も含む。また、一つの部分が一つの構成要素を「含む」というとき、これは、特別に反対の記載がない限り、他の構成要素を除外するのでなく、他の構成要素をさらに含むことができることを意味する。
【００２８】
以下の内容及び特許請求の範囲において、「上位掲示物」は、ニュース記事、ポスト及びコメントなどを含み、「下位掲示物」は、ニュース記事、ポスト、コメントなどの上位掲示物に対するコメント、トラックバックなどを含む。このように「上位掲示物」及び「下位掲示物」は相対的な概念である。また、「掲示物」は、上位掲示物及び下位掲示物をいずれも含み、特定主題に対する自身の意見、自身の情報、動画像、画像などのファイルなどでインターネット上に掲示可能な全ての形態のコンテンツを含む。
【００２９】
以下では、図１〜図９を参照して、本発明の一実施形態に係るオンライン上のイシューに対する賛否意見掲示システム及びその方法を説明する。
【００３０】
図１は、本発明の一実施形態に係るオンライン上のイシュー及びオンライン上のイシューに対する賛否意見が表示された上位掲示物の一例である。本例において、上位掲示物１０は、「韓米牛肉問題、両者間の貿易協定の限界が浮き彫りに」という題目のニュース記事であり、これと関連したイシューは「再交渉」、「韓米ＦＴＡ」、「イ・ミョンバク弾劾」及び「牛肉告示」の四つである。そして、各イシューに対する賛否意見は、「再交渉＿反対」、「韓米ＦＴＡ＿賛成」、「イ・ミョンバク弾劾＿反対」及び「牛肉告示＿賛成」である。
【００３１】
図１に示すように、本発明の一実施形態に係る上位掲示物１０は、上位掲示物１０の内容と関連した１つ以上のイシュー及び各イシューに対して上位掲示物１０を作成した第１のユーザの賛成又は反対の意見が表示されるイシュー賛否表示部１１を含む。すなわち、上位掲示物１０のイシュー賛否表示部１１には、上位掲示物１０と関連した１つ以上のイシュー及び各イシューに対する賛否意見が、例えば、「再交渉＿反対」、「韓米ＦＴＡ＿賛成」、「イ・ミョンバク弾劾＿反対」、「牛肉告示＿賛成」などのように表示される。
【００３２】
図２は、本発明の一実施形態に係るオンライン上のイシューを入力するためのイシュー入力画面の一例である。
【００３３】
図２に示すように、第１のユーザは、イシュー入力画面２０を通して上位掲示物１０と関連したイシューを検索し、検索されたイシューリストのうち所望のイシューを選択し、自身の賛成又は反対の意見を入力することができる。すなわち、第１のユーザは、自身が作成した上位掲示物１０と関連したイシュー、例えば、「ろうそくデモ」を検索した後、検索されたイシューリストから所望のイシューを選択し、自身の賛成又は反対の意見を入力してもよい。
【００３４】
このとき、自身が作成した上位掲示物１０と関連したイシューが検索されない場合、第１のユーザは、新しいイシューを生成して登録することもできる。図３は、このように新しいイシューを生成するためのイシュー生成画面３０の一例である。
【００３５】
上述したような上位掲示物と関連した各イシューの賛成又は反対の意見は、上位掲示物の作成時にユーザが直接入力してもよい。また、ユーザの入力がない場合は、上位掲示物の内容を分析し、該当イシューに対する賛成及び反対意見を自動的に登録してもよい。
【００３６】
図４は、本発明の一実施形態に係る下位掲示物の入力方法を説明するための図である。
【００３７】
図４に示すように、第２のユーザは、第１のユーザが作成した上位掲示物に対して賛成又は反対する下位掲示物を入力してもよい。例えば、「牛肉を輸出する…（中略）…交渉で産みの苦しみを味わっている」という内容のニュース記事、すなわち、上位掲示物４０に対して反対する第２のユーザは、例えば、反対コメント書き込みボタン４１を通して上位掲示物４０に反対する下位掲示物を入力したり、賛成コメント書き込みボタン４２を通して上位掲示物４０に賛成する下位掲示物を入力したりしてもよい。このとき、上位掲示物４０が、例えば、「再交渉」、「韓米ＦＴＡ」、「イ・ミョンバク弾劾」及び「牛肉告示」の四つのイシューに対して、例えば、「再交渉＿反対」、「韓米ＦＴＡ＿賛成」、「イ・ミョンバク弾劾＿反対」及び「牛肉告示＿賛成」の賛否意見を有し、第２のユーザが賛成コメント書き込みボタン４２を通して上位掲示物４０に対して賛成する下位掲示物を入力する場合、下位掲示物は、上位掲示物４０の各イシューに対して「再交渉＿反対」、「韓米ＦＴＡ＿賛成」、「イ・ミョンバク弾劾＿反対」及び「牛肉告示＿賛成」のように、各イシューに対して上位掲示物４０を作成した第１のユーザと同一の賛否意見を１次的に引き継ぐ。その一方、第２のユーザが上位掲示物４０に対して反対する下位掲示物を入力する場合、下位掲示物は、上位掲示物４０の各イシューに対して「再交渉＿賛成」、「韓米ＦＴＡ＿反対」、「イ・ミョンバク弾劾＿賛成」、「牛肉告示＿反対」のように、各イシューに対して上位掲示物４０を作成した第１のユーザと反対の賛否意見を１次的に引き継ぐ。
【００３８】
また、第２のユーザは、第１のユーザが作成した上位掲示物４０の各イシューに対してイシュー別編集ボタン４３を通して個別的に賛成又は反対の意見を再入力又は編集することもできる。例えば、上位掲示物４０が関連したイシュー、例えば、「再交渉」、「韓米ＦＴＡ」、「イ・ミョンバク弾劾」及び「牛肉告示」の四つのイシューに対して、例えば、「再交渉＿反対」、「韓米ＦＴＡ＿賛成」、「イ・ミョンバク弾劾＿反対」及び「牛肉告示＿賛成」という賛否意見を有している場合、第２のユーザが上位掲示物４０に対して賛成する下位掲示物を入力するとしても、１次的には賛否意見を引き継ぐが、第２のユーザは、下位掲示物の各イシューに対して、例えば、「再交渉＿賛成」、「韓米ＦＴＡ＿賛成」、「イ・ミョンバク弾劾＿反対」、「牛肉告示＿反対」のように個別的に賛成又は反対の意見を再入力又は編集してもよい。
【００３９】
上述したように、第１のユーザは、自身が作成した上位掲示物に対して１つ以上のイシューを選択してもよく、選択された各イシューに対して自身の賛成又は反対の意見を入力してもよい。また、第２のユーザは、第１のユーザが作成した上位掲示物に対して賛成又は反対の下位掲示物を入力し、第１のユーザが作成した上位掲示物の各イシューに対して第１のユーザと同一の賛成又は反対の意見を表したり、相反する賛成又は反対の意見を表したりしてもよい。
【００４０】
図５は、本発明の一実施形態に係る上位掲示物と下位掲示物による各イシューの賛否現在の状況を示した図である。
【００４１】
図５に示すように、例えば、「韓、米、牛肉ＥＶ（輸出証明）導入交渉」という題目のニュース記事、すなわち、上位掲示物５０は、例えば、「再交渉」５１、「イ・ミョンバク弾劾」５２、「韓／米ＦＴＡ」５３、「牛肉告示」５４という四つの各イシューに対して「再交渉＿反対」、「イ・ミョンバク弾劾＿反対」、「韓／米ＦＴＡ＿賛成」、「牛肉告示＿賛成」の賛否意見を有する。このとき、上位掲示物５０に反対するコメント、すなわち、下位掲示物５５は、四つの各イシューに対して１次的には上位掲示物５０に反対する意見を引き継ぐが、「イ・ミョンバク弾劾」５２及び「韓／米ＦＴＡ」５３の二つのイシューに対しては個別的に反対又は賛成意見を再入力し、「イ・ミョンバク弾劾＿反対」及び「韓／米ＦＴＡ＿賛成」の意見を有する。
【００４２】
このように、一つのイシューは、それぞれ賛成又は反対の意見を有する多数の上位掲示物及び多数の下位掲示物を有する。例えば、イシュー「再交渉」は、反対意見を有する「韓、米、牛肉ＥＶ（輸出証明）導入交渉」という題目の上位掲示物５０と、賛成意見を有する「牛肉問題さえ解決されれば」という題目の下位掲示物５５とを有する。
【００４３】
上述したような各イシュー別に賛否意見が入力された掲示物の現在の状況全体は、ウェブページ、例えば、「イシューページ」を通して表示される。
【００４４】
図６は、本発明の一実施形態に係る特定イシューに対する賛成又は反対の意見が入力された掲示物の総合現在の状況を表すイシューページの一例である。
【００４５】
図６に示すように、イシューページ６０には、総合賛否集計領域６１、リンクされたニュース領域６２、リンクされたコメント領域６３、リンクされたポスト領域６４及び討論ルーム領域６５などが表示される。
【００４６】
総合賛否集計領域６１には、特定イシューに対して賛成又は反対する全ての掲示物の賛成及び反対意見の比率が、例えばグラフなどで表示される。具体例として、総合賛否集計領域６１には、「米国産牛肉輸入」という一つのイシューに対して所定期間の賛成比率及び反対比率が時間の流れに伴うグラフとして表示され、これを通して、所定期間の該当イシューに対するネチズンの賛成又は反対意見の傾向の変化を確認することができる。
【００４７】
また、総合賛否集計領域６１には、該当イシューと関連してネチズンが検索する関連検索語、例えば、「米国産牛肉輸入反対」、「米国産牛肉輸入賛成」、「米国産牛肉」、「狂牛病」、「ろうそくデモ」などの検索順位をリアルタイムに表示してもよい。
【００４８】
リンクされたニュース領域６２には、該当イシューに対する賛成又は反対の意見が入力されたニュース記事が表示される。また、リンクされたニュース領域６２には、例えば、「米国産牛肉輸入」というイシューに対する賛成又は反対の意見が入力されたニュース記事の賛成比率及び反対比率、賛成又は反対のニュース記事リストなどが表示される。
【００４９】
リンクされたコメント領域６３には、該当イシューに対する賛成又は反対の意見が入力されたコメントが表示される。すなわち、リンクされたコメント領域６３には、例えば、「米国産牛肉輸入」というイシューに対する賛成又は反対の意見が入力されたコメントの賛成比率及び反対比率、賛成又は反対のコメントリストなどが表示される。
【００５０】
リンクされたポスト領域６４には、該当イシューに対する賛成又は反対の意見が入力されたポストが表示される。すなわち、リンクされたポスト領域６４には、例えば、「米国産牛肉輸入」というイシューに対する賛成又は反対の意見が入力されたポストの賛成比率及び反対比率、賛成又は反対のポストリストなどが表示される。
【００５１】
討論ルームリスト６５には、例えば、「米国産牛肉輸入」というイシューに関して討論するために開設された討論ルームのリストが表示される。
【００５２】
また、イシューページ６０には、該当イシューのトラックバックアドレス６６、該当イシューに参加したブロガー名簿６７、該当イシューと関連した関連イシューリスト６８、該当イシューと関連したカフェリスト６９などがさらに表示される。
【００５３】
上述したような本発明の一実施形態に係る１つ以上のイシュー及び前記１つ以上のイシューに対する賛否意見が入力された掲示物情報は、ユーザが特定検索語を検索した後、これと関連して多く検索した検索語を抽出し、これを関連検索語として提供する「関連検索語サービス」のメタデータとして使用される。例えば、ユーザが「韓、米、牛肉ＥＶ（輸出証明）導入交渉」という題目のブログを作成するとき、「再交渉」、「イ・ミョンバク弾劾」、「韓／米ＦＴＡ」、「牛肉告示」という四つのイシューを入力した場合、各イシューは相互間の関連検索語として提供される。
【００５４】
また、本発明の一実施形態に係る１つ以上のイシュー及び前記１つ以上のイシューに対する賛否意見が入力された掲示物情報は、「肯定否定検索サービス」のメタデータとして使用される。「肯定否定検索サービス」は、ユーザが特定検索語をキーワードとして入力した場合、前記特定検索語を含むウェブページを検索し、検索されたウェブページ内のテキストを抽出してユーザの好み、例えば、肯定、中立及び否定などの評価情報を生成し、前記評価情報と共に検索結果を提供するサービスである。例えば、ユーザが「肯定否定検索サービス」を用いて「韓米ＦＴＡ」という検索語をキーワードとして入力した場合、「韓米ＦＴＡ」と関連したウェブページが検索され、検索されたウェブページが「韓米ＦＴＡ」というイシューに対して賛成又は反対の意見が入力された掲示物であったなら、前記掲示物の賛否意見は、ユーザの好み、例えば、肯定、中立及び否定などの評価情報を生成するためのメタデータになり得る。
【００５５】
図７は、本発明の一実施形態に係るオンライン上のイシューに対する賛否意見を掲示するシステムの接続関係を示した図である。
【００５６】
図７を参照すれば、本発明の一実施形態に係るイシュー賛否システム８００のネットワーク接続構成は、ユーザ端末１００、ネットワーク２００、ニュースＤＢ３００、ブログＤＢ４００、コミュニティＤＢ５００、討論サーバ６００、検索サーバ７００及びイシュー賛否システム８００を含む。
【００５７】
ユーザ端末１００がネットワーク２００を介してイシュー賛否システム８００に接続し、ユーザは、自身が作成した上位掲示物と関連したオンライン上のイシューを選択して賛否意見を入力したり、他人が作成した上位掲示物に賛成又は反対する下位掲示物を入力したりすることができる。
【００５８】
ユーザ端末１００は、例えば、携帯性と移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）―２０００、ＣＤＭＡ（Ｃｏｄｅ  Ｄｉｖｉｓｉｏｎ  Ｍｕｌｔｉｐｌｅ  Ａｃｃｅｓｓ）―２０００、Ｗ―ＣＤＭＡ（Ｗ―Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末などのようなあらゆる種類のハンドヘルド基盤の無線通信装置を含むことができる。その他に、ユーザ端末１００は、ウェブブラウザが搭載されたノートＰＣ、デスクトップＰＣなどの一般のＰＣも含むことができる。
【００５９】
ネットワーク２００は、近距離通信網（Ｌｏｃａｌ  Ａｒｅａ  Ｎｅｔｗｏｒｋ；ＬＡＮ）、広域通信網（Ｗｉｄｅ  Ａｒｅａ  Ｎｅｔｗｏｒｋ；ＷＡＮ）又は付加価値通信網（Ｖａｌｕｅ  Ａｄｄｅｄ  Ｎｅｔｗｏｒｋ；ＶＡＮ）などのような有線ネットワークや、移動通信網又は衛星通信網などのようなあらゆる種類の無線ネットワークで具現される。
【００６０】
ニュースＤＢ３００は、報道機関などのニュース提供サーバ（図示せず）から提供されたニュース記事及び各ニュース記事と関連した１つ以上のイシューに対する賛否意見を格納している。
【００６１】
ブログＤＢ４００は、ユーザ端末１００にブログページの製作、編集、管理、アップデートなどのブログ関連サービスを提供し、ブログのポスト及び各ポストと関連した１つ以上のイシューに対する賛否意見を格納している。
【００６２】
コミュニティＤＢ５００は、各ユーザ間でのコミュニティの形成及び管理などのコミュニティ関連サービスを提供し、コミュニティに登録されたポスト及び各ポストと関連した１つ以上のイシューに対する賛否意見を格納している。
【００６３】
討論サーバ６００は、各ユーザ間にオンライン討論サービスを提供するサーバであって、ユーザの要請によって既に開設された討論ルームに参加できるように討論ルームリストをユーザ端末１００に提供したり、ユーザが新しい討論ルームを開設したりできるようにする。
【００６４】
検索サーバ７００は、ユーザからの検索要請によって、ユーザが入力した検索語によって情報を検索し、検索された結果をユーザ端末１００に提供する。
【００６５】
イシュー賛否システム８００は、ニュースＤＢ３００、ブログＤＢ４００及びコミュニティＤＢ５００と連動し、ネットワーク２００を介して接続されたユーザ端末１００にオンライン上のイシューに対する賛否意見掲示サービスを提供する。すなわち、イシュー賛否システム８００は、ニュースＤＢ３００、ブログＤＢ４００及びコミュニティＤＢ５００などと連動し、ユーザがニュース記事、ポスト、コメントなどの掲示物を作成するとき、自身が作成した掲示物と関連したイシューを選択し、選択されたイシューに対する賛否意見を入力できるようにする。
【００６６】
具体的に、イシュー賛否システム８００は、第１のユーザが作成した上位掲示物と関連した１つ以上のイシューに対する賛成又は反対の意見を入力するための入力ツールを第１のユーザのユーザ端末１００に提供し、第１のユーザによって作成された上位掲示物に対して賛成又は反対する下位掲示物を入力するための入力ツールを第２のユーザのユーザ端末１００に提供する。
【００６７】
また、イシュー賛否システム８００は、上位掲示物及び下位掲示物によって賛否意見が入力された各イシューを管理し、イシュー別に賛否意見が入力された掲示物の総合現在の状況を提供する。
【００６８】
また、イシュー賛否システム８００は、討論サーバ６００と連動し、特定イシューに対して各ユーザ間で討論ルームを開設して討論できるようにカテゴリ別に分類されたイシューリストを討論サーバ６００に提供し、討論サーバ６００から各イシュー別に討論が進行中の討論ルームの開設リストなどの提供を受け、これをイシュー別総合現在の状況を表すイシューページ６０に表示する。
【００６９】
また、イシュー賛否システム８００は、検索サーバ７００と連動し、各イシューに該当するリアルタイム検索語やイシューと関連した関連検索語の検索順位の提供をリアルタイムに受け、これをイシュー別現在の状況を表すイシューページ６０に表示することもできる。
【００７０】
図８は、本発明の一実施形態に係るイシュー賛否システムの細部構成図である。
【００７１】
図８を参照すれば、本発明の一実施形態に係るイシュー賛否システム８００は、イシュー管理部８１０、イシュー格納部８２０、イシュー選択部８３０、イシュー生成部８４０、意見入力部８５０及び下位掲示物入力部８６０を含む。
【００７２】
イシュー管理部８１０は、各種イシューを掲示物のカテゴリ別に分類してイシュー格納部８２０に格納し、各イシューに対する賛成又は反対の意見が入力された全ての掲示物の総合現在の状況をイシュー別に管理する。
【００７３】
イシュー格納部８２０は、イシュー管理部８１０によって分類された各種イシュー及び各イシューに対する賛成又は反対の意見が入力された掲示物の情報を共に格納する。
【００７４】
イシュー選択部８３０は、第１のユーザによって作成された上位掲示物と関連した１つ以上のイシューを入力するためのイシュー入力ツールを第１のユーザに提供する。すなわち、イシュー選択部８３０は、第１のユーザから特定イシューの検索要請が受信されれば、検索が要請されたイシューをイシュー格納部８２０から検索し、検索されたイシューリストを第１のユーザのユーザ端末１００に提供し、第１のユーザによって所望のイシューが選択される。
【００７５】
イシュー生成部８４０は、第１のユーザから検索が要請されたイシューがイシュー格納部８２０に存在しない場合、検索が要請されたイシューを新しいイシューとして生成してイシュー格納部８２０に格納する。
【００７６】
意見入力部８５０は、第１のユーザから入力された１つ以上のイシューに対する第１のユーザの賛成又は反対の意見を入力するための入力ツールを提供する。意見入力部８５０は、上位掲示物と関連した各イシューに対する賛成又は反対の意見の入力を第１のユーザから直接受けることもできるが、ユーザの入力がない場合は、上位掲示物の内容を分析し、該当イシューに対する賛成及び反対意見を自動的に登録することもできる。
【００７７】
下位掲示物入力部８６０は、第１のユーザによって作成された上位掲示物に対して賛成又は反対する下位掲示物の入力ツールを第２のユーザのユーザ端末１００に提供する。
【００７８】
図９は、本発明の一実施形態に係るオンライン上のイシューに対する賛否意見を掲示する方法を説明するためのフローチャートである。
【００７９】
ステップＳ１２０で、イシュー賛否システム８００は、第１のユーザによって作成された上位掲示物と関連したイシューの選択のためのイシュー入力ツールを第１のユーザに提供する。すなわち、ステップＳ１２０で、第１のユーザは、自身が作成した上位掲示物と関連した既存のイシューを検索して入力したり、所望のイシューが存在しない場合、新しいイシューを生成して入力することもできる。
【００８０】
ステップＳ１３０で、イシュー賛否システム８００は、第１のユーザによって選択された１つ以上のイシューに対する第１のユーザの賛成又は反対の意見を入力するための意見入力ツールを提供する。
【００８１】
ステップＳ１４０で、イシュー賛否システム８００は、第１のユーザによって作成された上位掲示物に対して賛成又は反対する下位掲示物を入力するための入力ツールを第２のユーザのユーザ端末１００に提供する。すなわち、ステップＳ１４０で、イシュー賛否システム８００は、第２のユーザから第１のユーザが作成した上位掲示物に対して賛成又は反対する下位掲示物の入力を受けることができ、このとき、下位掲示物は、第１のユーザが作成した上位掲示物の各イシューに対して第１のユーザと同一の賛成又は反対の意見を表したり、相反する賛成又は反対の意見を表すこともできる。また、ステップＳ１４０で、イシュー賛否システム８００は、第２のユーザが第１のユーザによって作成された上位掲示物の各イシューに対する賛成又は反対の意見を個別的に再入力又は編集できるようにする。
【００８２】
ステップＳ１５０で、イシュー賛否システム８００は、特定イシューに対する賛成又は反対の意見が入力された掲示物の総合現在の状況を表示する。すなわち、ステップＳ１５０で、イシュー賛否システム８００は、特定イシューに対する賛否意見が入力された掲示物の現在の状況を掲示物の種類、例えば、ニュース、コメント、ポスト、トラックバック別に分類して表示することができる。また、ステップＳ１５０で、イシュー賛否システム８００は、該当イシューに対して賛成又は反対する掲示物全体の賛否意見の比率、掲示物の種類別賛否意見の比率、該当イシューのトラックバックアドレス、該当イシューに参加したブロガー名簿、該当イシューと関連した関連イシューリスト、該当イシューと関連したカフェリストなどを共に表示することもできる。
【００８３】
本発明の一実施形態は、コンピュータによって実行されるプログラムモジュールのようなコンピュータによって実行可能な命令語を含む記録媒体の形態でも具現される。コンピュータ読取可能な記録媒体は、コンピュータによってアクセスされる任意の媒体であって、揮発性及び不揮発性媒体、分離型及び非分離型媒体を全て含む。また、コンピュータ読取可能な媒体は、コンピュータ格納媒体及び通信媒体を全て含んでもよい。コンピュータ格納媒体は、コンピュータ読取可能な命令語、データ構造、プログラムモジュール又はその他データのような情報を格納するための任意の方法又は技術で具現された揮発性及び不揮発性、分離型及び非分離型媒体を全て含む。通信媒体は、典型的にコンピュータ読取可能な命令語、データ構造、プログラムモジュール、搬送波のような変調されたデータ信号のその他データ、又はその他伝送メカニズムを含み、任意の情報伝達媒体を含む。
【００８４】
上述した本発明の説明は、例示であり、本発明の属する技術分野における通常の知識を有する者であれば、本発明の技術思想や必須の特徴を変更しない範囲で他の具体的な形態に容易に変形可能であることを理解することができる。したがって、上述した各実施形態は、全ての面で例示的なものであり、限定的なものでないことを理解しなければならない。例えば、単一型として説明されている各構成要素は、分散されて実施されることも可能であり、これと同様に、分散されたものとして説明されている各構成要素も結合形態で実施されることが可能である。
【００８５】
本発明の範囲は、上述した詳細な説明より後述する特許請求の範囲によって定めるもので、特許請求の範囲の意味及び範囲、そして、その均等概念から導出される全ての変更又は変形された形態は、本発明の範囲に含まれるものと解釈されなければならない。
【符号の説明】
【００８６】
１００  ユーザ端末
２００  ネットワーク
３００  ニュースＤＢ
４００  ブログＤＢ
５００  コミュニティＤＢ
６００  討論サーバ
７００  検索サーバ
８００  イシュー賛否システム
【図１】
2010157243.tif 000003
【図２】
2010157243.tif 000004
【図３】
2010157243.tif 000005
【図４】
2010157243.tif 000006
【図５】
2010157243.tif 000007
【図６】
2010157243.tif 000008
【図７】
2010157243.tif 000009
【図８】
2010157243.tif 000010
【図９】
2010157243.tif 000011